(57)【要約】【課題】広帯域無線通信システムにおいて複数のＱｏＳ設定タイプを支援するためのシステム及び装置並びに方法を提供する。【解決手段】広帯域無線通信のシステムであって、少なくとも一つの基地局及び少なくとも一つの制御局で構成され、第１端末に対する第１ＱｏＳ設定タイプを支援し、第２端末に対する第２ＱｏＳ設定タイプを支援する接続サービスネットワークと、初期接続過程の中で認証プロセス完了後に接続サービス網から自身の利用可能なＱｏＳ設定タイプである第１ＱｏＳ設定タイプ情報を取得し、第１ＱｏＳ設定タイプに応じてサービスフローを処理し通信を行う前記第１端末と、初期接続過程の中で認証プロセス完了後に接続サービス網から自身の利用可能なＱｏＳ設定タイプである第２ＱｏＳ設定タイプ情報を取得し、第２ＱｏＳ設定タイプに応じてサービスフローを処理し通信を行う前記第２端末とを有する。【選択図】      図６
2009044736.tif 000002
【特許請求の範囲】
【請求項１】
広帯域無線通信のシステムであって、
少なくとも一つの基地局及び少なくとも一つの制御局で構成され、第１端末に対する第１ＱｏＳ（Ｑｕａｌｉｔｙ  ｏｆ  Ｓｅｒｖｉｃｅ）設定タイプ（ｓｅｔｕｐ  ｔｙｐｅ）を支援し、第２端末に対する第２ＱｏＳ設定タイプを支援する接続サービス網（Ａｃｃｅｓｓ  Ｓｅｒｖｉｃｅ  Ｎｅｔｗｏｒｋ：ＡＳＮ）と、
初期接続過程の中で認証プロセス完了後に前記接続サービス網から自身の利用可能なＱｏＳ設定タイプである前記第１ＱｏＳ設定タイプ情報を取得し、前記第１ＱｏＳ設定タイプに応じてサービスフローを処理し通信を行う前記第１端末と、
初期接続過程の中で認証プロセス完了後に前記接続サービス網から自身の利用可能なＱｏＳ設定タイプである前記第２ＱｏＳ設定タイプ情報を取得し、前記第２ＱｏＳ設定タイプに応じてサービスフローを処理し通信を行う前記第２端末とを有することを特徴とする広帯域無線通信のシステム。
【請求項２】
前記第１ＱｏＳ設定タイプ及び前記第２ＱｏＳ設定タイプのそれぞれは、ダイナミックタイプ、セミダイナミックタイプ、及びスタティックタイプのうちの何れか一つであることを特徴とする請求項１に記載の広帯域無線通信のシステム。
【請求項３】
端末の認証情報を管理し、前記第１端末の認証プロセス完了後に前記第１端末の第１ＱｏＳ設定タイプ情報を前記接続サービス網に提供する認証サーバと、
前記認証サーバの要請に応じて認証サーバに前記第１端末の第１ＱｏＳ設定タイプ情報を提供するＳＰＲ（Ｓｕｂｓｃｒｉｐｔｉｏｎ  Ｐｒｏｆｉｌｅ  Ｒｅｐｏｓｉｔｏｒｙ）とをさらに有し、
前記ＳＰＲは、前記認証サーバの機能的要素の一部であるか、又は独立した構成要素であることを特徴とする請求項１に記載の広帯域無線通信のシステム。
【請求項４】
端末の認証情報を管理し、前記第１端末の認証プロセス完了後に前記第１端末の第１ＱｏＳ設定タイプ情報を前記接続サービス網に提供するようにＳＰＲをトリガー（ｔｒｉｇｇｅｒｉｎｇ）する認証サーバと、
前記認証サーバのトリガーに応じて前記接続サービス網に前記第１端末の第１ＱｏＳ設定タイプ情報を提供する前記ＳＰＲとをさらに有し、
前記ＳＰＲは、前記認証サーバの機能的要素の一部であるか、又は独立した構成要素であることを特徴とする請求項１に記載の広帯域無線通信のシステム。
【請求項５】
端末の認証情報を管理し、前記第１端末の認証プロセス完了後に前記第１端末の第１ＱｏＳ設定タイプ情報を前記接続サービス網に提供するようにＳＰＲをトリガーする認証サーバと、
前記認証サーバのトリガーに応じてＰＤＦ（Ｐｏｌｉｃｙ  Ｄｅｃｉｓｉｏｎ  Ｆｕｎｃｔｉｏｎ）に前記第１端末の第１ＱｏＳ設定タイプ情報を提供する前記ＳＰＲと、
前記接続サービス網に前記第１端末の第１ＱｏＳ設定タイプ情報を提供する前記ＰＤＦとをさらに有し、
前記ＳＰＲは、前記認証サーバの機能的要素の一部であるか、又は独立した構成要素であることを特徴とする請求項１に記載の広帯域無線通信のシステム。
【請求項６】
前記接続サービス網の要請に応じてＳＰＲから前記第１端末の第１ＱｏＳ設定情報を取得し、前記接続サービス網に前記第１端末の第１ＱｏＳ設定タイプ情報を提供するＰＤＦと、
前記ＰＤＦの要請に応じてＰＤＦに前記第１端末の第１ＱｏＳ設定タイプ情報を提供する前記ＳＰＲとをさらに有することを特徴とする請求項１に記載の広帯域無線通信のシステム。
【請求項７】
前記接続サービス網の要請に応じてＳＰＲから前記第１端末の第１ＱｏＳ設定情報を提供するようにＳＰＲをトリガーするＰＤＦと、
前記ＰＤＦのトリガーに応じて前記接続サービス網に前記第１端末の第１ＱｏＳ設定タイプ情報を提供する前記ＳＰＲとをさらに有することを特徴とする請求項１に記載の広帯域無線通信のシステム。
【請求項８】
前記第１端末は、前記接続サービス網に自身のタイプを通知し、
前記接続サービス網は、前記第１端末のタイプに応じた利用可能なＱｏＳ設定タイプを判断し、前記第１端末に前記利用可能なＱｏＳ設定タイプの情報を提供することを特徴とする請求項１に記載の広帯域無線通信のシステム。
【請求項９】
端末がアプリケーション階層メッセージを介してサービス使用を要請すると、前記端末のＱｏＳ設定タイプを判断し、該ＱｏＳ設定タイプに応じてサービスフローの追加プロセス又はサービスフローの変更プロセスのうちの何れか一つをトリガーするＰＤＦをさらに有することを特徴とする請求項１に記載の広帯域無線通信のシステム。
【請求項１０】
前記ＰＤＦは、システム内の他の装置を用いて前記端末のＱｏＳ設定タイプを判断することを特徴とする請求項９に記載の広帯域無線通信のシステム。
【請求項１１】
前記システム内の他の装置は、前記認証サーバ、又はＩＭＳ（ＩＰ  Ｍｕｌｔｉｍｅｄｉａ  Ｓｕｂｓｙｓｔｅｍ）サーバであることを特徴とする請求項１０に記載の広帯域無線通信のシステム。
【請求項１２】
前記ＰＤＦは、前記端末から伝送されたアプリケーション階層メッセージに含まれたセッションディスクリプション（Ｓｅｓｓｉｏｎ  Ｄｅｓｃｒｉｐｔｉｏｎ：ＳＤ）情報を利用して、前記端末のＱｏＳ設定タイプを判断することを特徴とする請求項９に記載の広帯域無線通信のシステム。
【請求項１３】
前記ＰＤＦは、ダイナミックタイプである前記端末の要請に対してはサービスフローの追加プロセスをトリガーし、
セミダイナミックタイプ又はスタティックタイプである前記端末の要請に対してはサービスフローの変更プロセスをトリガーすることを特徴とする請求項９に記載の広帯域無線通信のシステム。
【請求項１４】
前記ＰＤＦは、前記端末がアプリケーション階層を介して利用可能なＱｏＳ設定タイプに違反するサービスフロー処理プロセスを要請するイベントが発生すると、前記イベントの発生を前記接続サービス網に通知し、
前記接続サービス網は、前記利用可能なＱｏＳ設定タイプに違反するサービスフロー処理プロセスを禁止することを特徴とする請求項９に記載の広帯域無線通信のシステム。
【請求項１５】
各々のサービスフローに対する互いに異なるＱｏＳ設定タイプに応じてサービスフローを処理し通信を行う第３端末をさらに有することを特徴とする請求項１に記載の広帯域無線通信のシステム。
【請求項１６】
広帯域無線通信システムの端末装置であって、
初期接続時に、ダイナミックタイプ、セミダイナミックタイプ、及びスタティックタイプのうちの少なくとも一つを含む利用可能なＱｏＳ設定タイプの情報を受信する受信部と、
前記利用可能なＱｏＳ設定タイプに応じてサービスフローを処理し通信を行うように制御する制御部とを有することを特徴とする広帯域無線通信システムの端末装置。
【請求項１７】
基地局に前記端末装置のタイプ情報を送信する送信部をさらに有することを特徴とする請求項１６に記載の広帯域無線通信システムの端末装置。
【請求項１８】
広帯域無線通信システムの基地局装置であって、
端末の初期接続時に、ダイナミックタイプ、セミダイナミックタイプ、及びスタティックタイプのうちの少なくとも一つの利用可能なＱｏＳ設定タイプの情報を前記端末に送信する送信部と、
前記利用可能なＱｏＳ設定タイプに応じてサービスフローを処理し通信を行うように制御する制御部とを有することを特徴とする広帯域無線通信システムの基地局装置。
【請求項１９】
前記端末の認証プロセス完了後に認証サーバ、ＳＰＲ（Ｓｕｂｓｃｒｉｐｔｉｏｎ  Ｐｒｏｆｉｌｅ  Ｒｅｐｏｓｉｔｏｒｙ）、及びＰＤＦ（Ｐｏｌｉｃｙ  Ｄｅｃｉｓｉｏｎ  Ｆｕｎｃｔｉｏｎ）のうちの何れか一つから利用可能なＱｏＳ設定タイプの情報を取得する管理部をさらに有し、
前記送信部は、前記認証サーバ、ＳＰＲ、及びＰＤＦのうちの何れか一つから取得した前記端末の利用可能なＱｏＳ設定タイプの情報を前記端末に送信することを特徴とする請求項１８に記載の広帯域無線通信システムの基地局装置。
【請求項２０】
前記端末から端末のタイプ情報を受信する受信部と、
前記端末のタイプ情報に関連して格納された利用可能なＱｏＳ設定タイプ情報テーブルを用いて、前記端末のタイプに応じた利用可能なＱｏＳ設定タイプの情報を判断する管理部とをさらに有し、
前記送信部は、前記端末のタイプに応じた利用可能なＱｏＳ設定タイプの情報を前記端末に送信することを特徴とする請求項１８に記載の広帯域無線通信システムの基地局装置。
【請求項２１】
広帯域無線通信システムの制御局装置であって、
初期接続する端末の利用可能なＱｏＳ設定タイプの情報を判断する管理部と、
前記利用可能なＱｏＳ設定タイプの情報を基地局に提供する通信部とを有し、
前記利用可能なＱｏＳ設定タイプは、ダイナミックタイプ、セミダイナミックタイプ、及びスタティックタイプのうちの何れか一つであることを特徴とする広帯域無線通信システムの制御局装置。
【請求項２２】
前記管理部は、前記端末の認証プロセス完了後に認証サーバ、ＳＰＲ（Ｓｕｂｓｃｒｉｐｔｉｏｎ  Ｐｒｏｆｉｌｅ  Ｒｅｐｏｓｉｔｏｒｙ）、及びＰＤＦ（Ｐｏｌｉｃｙ  Ｄｅｃｉｓｉｏｎ  Ｆｕｎｃｔｉｏｎ）のうちの何れか一つから前記端末の利用可能なＱｏＳ設定タイプの情報を取得することを特徴とする請求項２１に記載の広帯域無線通信システムの制御局装置。
【請求項２３】
前記通信部は、前記基地局から前記端末のタイプ情報を受信し、
前記管理部は、端末のタイプに応じた利用可能なＱｏＳ設定タイプの情報を判断することを特徴とする請求項２１に記載の広帯域無線通信システムの制御局装置。
【請求項２４】
広帯域無線通信システムにおけるＰＤＦ（Ｐｏｌｉｃｙ  Ｄｅｃｉｓｉｏｎ  Ｆｕｎｃｔｉｏｎ）装置であって、
端末がアプリケーション階層メッセージを介してサービス使用を要請すると、前記端末の利用可能なＱｏＳ設定タイプを判断する判断部と、
前記利用可能なＱｏＳ設定タイプに応じてサービスフローの追加プロセス又はサービスフローの変更プロセスのうちの何れか一つをトリガーする信号を送信する通信部とを有し、
前記利用可能なＱｏＳ設定タイプは、ダイナミックタイプ、セミダイナミックタイプ、及びスタティックタイプのうちの何れか一つであることを特徴とする広帯域無線通信システムのＰＤＦ装置。
【請求項２５】
前記判断部は、前記広帯域無線通信システム内の他の装置から前記利用可能なＱｏＳ設定タイプの情報を取得するか、又は前記アプリケーション階層メッセージに含まれたセッションディスクリプション（Ｓｅｓｓｉｏｎ  Ｄｅｓｃｒｉｐｔｉｏｎ：ＳＤ）情報を利用して前記利用可能なＱｏＳ設定タイプの情報を判断することを特徴とする請求項２４に記載の広帯域無線通信システムのＰＤＦ装置。
【請求項２６】
前記通信部は、前記ＱｏＳ設定タイプがダイナミックタイプである場合、サービスフローの追加プロセスをトリガーする信号を送信し、
前記ＱｏＳ設定タイプがセミダイナミックタイプ又はダイナミックタイプである場合、サービスフローの変更プロセスをトリガーする信号を送信することを特徴とする請求項２４に記載の広帯域無線通信システムのＰＤＦ装置。
【請求項２７】
前記通信部は、前記端末がアプリケーション階層を介して利用可能なＱｏＳ設定タイプに違反するサービスフロー処理プロセスを要請するイベントが発生すると、前記イベントの発生を接続サービス網に通知するメッセージを送信することを特徴とする請求項２４に記載の広帯域無線通信システムのＰＤＦ装置。
【請求項２８】
広帯域無線通信システムの端末の動作方法であって、
初期接続時に、ダイナミックタイプ、セミダイナミックタイプ、及びスタティックタイプのうちの少なくとも一つを含む利用可能なＱｏＳ設定タイプの情報を受信する工程と、
前記利用可能なＱｏＳ設定タイプに応じてサービスフローを処理し通信を行う工程とを有することを特徴とする広帯域無線通信システムの端末の動作方法。
【請求項２９】
基地局に前記端末のタイプ情報を送信する工程をさらに有することを特徴とする請求項２８に記載の広帯域無線通信システムの端末の動作方法。
【請求項３０】
広帯域無線通信システムの基地局の動作方法であって、
端末の初期接続時に、ダイナミックタイプ、セミダイナミックタイプ、及びスタティックタイプのうちの少なくとも一つの利用可能なＱｏＳ設定タイプの情報を前記端末に送信する工程と、
前記利用可能なＱｏＳ設定タイプに応じてサービスフローを処理し通信を行う工程とを有することを特徴とする広帯域無線通信システムの基地局の動作方法。
【請求項３１】
前記端末の認証プロセス完了後に認証サーバ、ＳＰＲ（Ｓｕｂｓｃｒｉｐｔｉｏｎ  Ｐｒｏｆｉｌｅ  Ｒｅｐｏｓｉｔｏｒｙ）、及びＰＤＦ（Ｐｏｌｉｃｙ  Ｄｅｃｉｓｉｏｎ  Ｆｕｎｃｔｉｏｎ）のうちの何れか一つから利用可能なＱｏＳ設定タイプの情報を取得する工程と、
前記認証サーバ、ＳＰＲ、及びＰＤＦのうちの何れか一つから取得した前記端末の利用可能なＱｏＳ設定タイプの情報を前記端末に送信する工程とをさらに有することを特徴とする請求項３０に記載の広帯域無線通信システムの基地局の動作方法。
【請求項３２】
前記端末から端末のタイプ情報を受信する工程と、
前記端末のタイプ情報に関連して格納された利用可能なＱｏＳ設定タイプ情報テーブルを用いて、前記端末のタイプに応じた利用可能なＱｏＳ設定タイプの情報を判断する工程と、
前記端末のタイプに応じた利用可能なＱｏＳ設定タイプの情報を前記端末に送信する工程とをさらに有することを特徴とする請求項３０に記載の広帯域無線通信システムの基地局の動作方法。
【請求項３３】
広帯域無線通信システムの制御局の動作方法であって、
初期接続する端末の利用可能なＱｏＳ設定タイプの情報を判断する工程と、
前記利用可能なＱｏＳ設定タイプの情報を基地局に提供する過程とを有し、
前記利用可能なＱｏＳ設定タイプは、ダイナミックタイプ、セミダイナミックタイプ、及びスタティックタイプのうちの何れか一つであることを特徴とする広帯域無線通信システムの制御局の動作方法。
【請求項３４】
前記端末の利用可能なＱｏＳ設定タイプの情報は、前記端末の認証プロセス完了後に認証サーバ、ＳＰＲ（Ｓｕｂｓｃｒｉｐｔｉｏｎ  Ｐｒｏｆｉｌｅ  Ｒｅｐｏｓｉｔｏｒｙ）、及びＰＤＦ（Ｐｏｌｉｃｙ  Ｄｅｃｉｓｉｏｎ  Ｆｕｎｃｔｉｏｎ）のうちの何れか一つから取得することを特徴とする請求項３３に記載の広帯域無線通信システムの制御局の動作方法。
【請求項３５】
前記初期接続する端末の利用可能なＱｏＳ設定タイプの情報を判断する工程は、
前記基地局から前記端末のタイプ情報を受信する工程と、
前記端末のタイプに応じた利用可能なＱｏＳ設定タイプの情報を判断する工程とを含むことを特徴とする請求項３３に記載の広帯域無線通信システムの制御局の動作方法。
【請求項３６】
広帯域無線通信システムのＰＤＦ（Ｐｏｌｉｃｙ  Ｄｅｃｉｓｉｏｎ  Ｆｕｎｃｔｉｏｎ）装置の動作方法であって、
端末がアプリケーション階層メッセージを介してサービス使用を要請すると、前記端末の利用可能なＱｏＳ設定タイプを判断する工程と、
前記利用可能なＱｏＳ設定タイプに応じてサービスフローの追加プロセス又はサービスフローの変更プロセスのうちの何れか一つをトリガーする信号を送信する工程とを有し、
前記利用可能なＱｏＳ設定タイプは、ダイナミックタイプ、セミダイナミックタイプ、及びスタティックタイプのうちの何れか一つであることを特徴とする広帯域無線通信システムのＰＤＦ装置の動作方法。
【請求項３７】
前記利用可能なＱｏＳ設定タイプの情報は、前記広帯域無線通信システム内の他の装置から取得するか、又は前記アプリケーション階層メッセージに含まれたセッションディスクリプション（Ｓｅｓｓｉｏｎ  Ｄｅｓｃｒｉｐｔｉｏｎ：ＳＤ）情報を利用して判断されることを特徴とする請求項３６に記載の広帯域無線通信システムのＰＤＦ装置の動作方法。
【請求項３８】
前記サービスフローの追加プロセス又はサービスフローの変更プロセスのうちの何れか一つをトリガーする信号を送信する工程は、
前記ＱｏＳ設定タイプがダイナミックタイプである場合、サービスフローの追加プロセスをトリガーする信号を送信する工程と、
前記ＱｏＳ設定タイプがセミダイナミックタイプ又はダイナミックタイプである場合、サービスフローの変更プロセスをトリガーする信号を送信する工程とを含むことを特徴とする請求項３６に記載の広帯域無線通信システムのＰＤＦ装置の動作方法。
【請求項３９】
前記端末がアプリケーション階層を介して利用可能なＱｏＳ設定タイプに違反するサービスフロー処理プロセスを要請するイベントが発生すると、前記イベントの発生を接続サービス網に通知するメッセージを送信する工程をさらに有することを特徴とする請求項３６に記載の広帯域無線通信システムのＰＤＦ装置の動作方法。
【発明の詳細な説明】
【技術分野】
【０００１】
本発明は、広帯域無線通信システムに関し、特に、広帯域無線通信システムにおいて終端間（ｅｎｄ  ｔｏ  ｅｎｄ）ＱｏＳ（Ｑｕａｌｉｔｙ  ｏｆ  Ｓｅｒｖｉｃｅ）を保障するための装置及び方法に関する。
【背景技術】
【０００２】
過去の通信システムは、システムの無線容量、サービス速度等システムの能力のみを考慮して発展してきた。しかしながら、サービス種類の増加、トラフィック（ｔｒａｆｆｉｃ）混雑及びユーザのサービスレベル要求の多様化につれて、現在の通信システムは、システム自体の能力とともにユーザの満足度を意味するＱｏＳを考慮して運用されている。
【０００３】
さらに、無線通信システムにおいては、時間と共に変化するチャネル環境及び端末の移動により活用可能な資源量（リソース）が変化するので、ＱｏＳを保障するために多様な状況を考慮した方針が要求される。また、広帯域無線通信システムのユーザが高速の多様なサービスを要求するにつれて、無線リソースの変化と発生するトラフィックを効果的に制御するためのＱｏＳ方針の確立が主要な問題として台頭している。
【０００４】
ユーザに満足なサービスを提供するために、終端間ＱｏＳが保障されなければならない。終端間ＱｏＳは、サービス提供者と端末、又は端末と端末との間のアプリケーション階層（Ａｐｐｌｉｃａｔｉｏｎ  Ｌａｙｅｒ）ＱｏＳであって、ユーザが体感するＱｏＳを意味する。
終端間ＱｏＳが保障されるためには、アプリケーション階層の下位に存在するＩＰ階層（Ｉｎｔｅｒｎｅｔ  Ｐｒｏｔｏｃｏｌ  Ｌａｙｅｒ）、ＭＡＣ階層（Ｍｅｄｉａ  Ａｃｃｅｓｓ  Ｃｏｎｔｒｏｌ  Ｌａｙｅｒ）との全般的なＱｏＳ保障のための連動プロセスが要求される。このとき、ＱｏＳ方針をどのように決定するかによって互いに異なるＱｏＳ連動プロセスが作られる。すなわち、事業者や運営者別に多様なＱｏＳ連動プロセスが存在しうる。
【０００５】
このとき、事業者又は運営者が複数のＱｏＳ方針に基づいて多様なＱｏＳ連動プロセスを確立し、一つの無線接続網内で複数のＱｏＳ連動プロセスをすべて支援しようとする意向を持ちうる。さらに、一つの端末に対して複数のＱｏＳ連動プロセスを同時に支援しようとする意向を持ちうる。この場合に、システムは、各端末に適用されたＱｏＳ連動プロセスを区分しなければならない。それは、ＱｏＳ連動プロセスに応じて端末に許容されるサービスフロー（Ｓｅｒｖｉｃｅ  Ｆｌｏｗ：ＳＦ）処理プロセスが異なりうるためである。そのため、無線通信システムにおいて複数のＱｏＳ連動プロセスを支援可能にするために、端末に適用されるＱｏＳ連動プロセスを区分するための方法が必要になるという問題がある。
【発明の開示】
【発明が解決しようとする課題】
【０００６】
そこで、本発明は上記従来の無線通信システムにおける問題点に鑑みてなされたものであって、本発明の目的は、広帯域無線通信システムにおいて複数のＱｏＳ設定タイプを支援するためのシステム及び装置並びに方法を提供することにある。
【０００７】
本発明の他の目的は、広帯域無線通信システムにおいて端末に適用されるＱｏＳ設定タイプを区分するための装置及び方法を提供することにある。
本発明のさらに他の目的は、広帯域無線通信システムにおいてサービスフロー別ＱｏＳ設定タイプを区分するための装置及び方法を提供することにある。
【課題を解決するための手段】
【０００８】
上記目的を達成するためになされた本発明による広帯域無線通信のシステムは、広帯域無線通信のシステムであって、少なくとも一つの基地局及び少なくとも一つの制御局で構成され、第１端末に対する第１ＱｏＳ（Ｑｕａｌｉｔｙ  ｏｆ  Ｓｅｒｖｉｃｅ）設定タイプ（ｓｅｔｕｐ  ｔｙｐｅ）を支援し、第２端末に対する第２ＱｏＳ設定タイプを支援する接続サービス網（Ａｃｃｅｓｓ  Ｓｅｒｖｉｃｅ  Ｎｅｔｗｏｒｋ：ＡＳＮ）と、初期接続過程の中で認証プロセス完了後に前記接続サービス網から自身の利用可能なＱｏＳ設定タイプである前記第１ＱｏＳ設定タイプ情報を取得し、前記第１ＱｏＳ設定タイプに応じてサービスフローを処理し通信を行う前記第１端末と、初期接続過程の中で認証プロセス完了後に前記接続サービス網から自身の利用可能なＱｏＳ設定タイプである前記第２ＱｏＳ設定タイプ情報を取得し、前記第２ＱｏＳ設定タイプに応じてサービスフローを処理し通信を行う前記第２端末とを有することを特徴とする。
【０００９】
上記目的を達成するためになされた本発明による広帯域無線通信システムの端末装置は、広帯域無線通信システムの端末装置であって、初期接続時に、ダイナミックタイプ、セミダイナミックタイプ、及びスタティックタイプのうちの少なくとも一つを含む利用可能なＱｏＳ設定タイプの情報を受信する受信部と、前記利用可能なＱｏＳ設定タイプに応じてサービスフローを処理し通信を行うように制御する制御部とを有することを特徴とする。
【００１０】
上記目的を達成するためになされた本発明による広帯域無線通信システムの基地局装置は、広帯域無線通信システムの基地局装置であって、端末の初期接続時に、ダイナミックタイプ、セミダイナミックタイプ、及びスタティックタイプのうちの少なくとも一つの利用可能なＱｏＳ設定タイプの情報を前記端末に送信する送信部と、前記利用可能なＱｏＳ設定タイプに応じてサービスフローを処理し通信を行うように制御する制御部とを有することを特徴とする。
【００１１】
上記目的を達成するためになされた本発明による広帯域無線通信システムの制御局装置は、広帯域無線通信システムの制御局装置であって、初期接続する端末の利用可能なＱｏＳ設定タイプの情報を判断する管理部と、前記利用可能なＱｏＳ設定タイプの情報を基地局に提供する通信部とを有し、前記利用可能なＱｏＳ設定タイプは、ダイナミックタイプ、セミダイナミックタイプ、及びスタティックタイプのうちの何れか一つであることを特徴とする。
【００１２】
上記目的を達成するためになされた本発明による広帯域無線通信システムのＰＤＦ装置は、広帯域無線通信システムにおけるＰＤＦ（Ｐｏｌｉｃｙ  Ｄｅｃｉｓｉｏｎ  Ｆｕｎｃｔｉｏｎ）装置であって、端末がアプリケーション階層メッセージを介してサービス使用を要請すると、前記端末の利用可能なＱｏＳ設定タイプを判断する判断部と、前記利用可能なＱｏＳ設定タイプに応じてサービスフローの追加プロセス又はサービスフローの変更プロセスのうちの何れか一つをトリガーする信号を送信する通信部とを有し、前記利用可能なＱｏＳ設定タイプは、ダイナミックタイプ、セミダイナミックタイプ、及びスタティックタイプのうちの何れか一つであることを特徴とする。
【００１３】
上記目的を達成するためになされた本発明による広帯域無線通信システムの端末の動作方法は、広帯域無線通信システムの端末の動作方法であって、初期接続時に、ダイナミックタイプ、セミダイナミックタイプ、及びスタティックタイプのうちの少なくとも一つを含む利用可能なＱｏＳ設定タイプの情報を受信する工程と、前記利用可能なＱｏＳ設定タイプに応じてサービスフローを処理し通信を行う工程とを有することを特徴とする。
【００１４】
上記目的を達成するためになされた本発明による広帯域無線通信システムの基地局の動作方法は、広帯域無線通信システムの基地局の動作方法であって、端末の初期接続時に、ダイナミックタイプ、セミダイナミックタイプ、及びスタティックタイプのうちの少なくとも一つの利用可能なＱｏＳ設定タイプの情報を前記端末に送信する工程と、前記利用可能なＱｏＳ設定タイプに応じてサービスフローを処理し通信を行う工程とを有することを特徴とする。
【００１５】
上記目的を達成するためになされた本発明による広帯域無線通信システムの制御局の動作方法は、広帯域無線通信システムの制御局の動作方法であって、初期接続する端末の利用可能なＱｏＳ設定タイプの情報を判断する工程と、前記利用可能なＱｏＳ設定タイプの情報を基地局に提供する過程とを有し、前記利用可能なＱｏＳ設定タイプは、ダイナミックタイプ、セミダイナミックタイプ、及びスタティックタイプのうちの何れか一つであることを特徴とする。
【００１６】
上記目的を達成するためになされた本発明による広帯域無線通信システムのＰＤＦ装置の動作方法は、広帯域無線通信システムのＰＤＦ（Ｐｏｌｉｃｙ  Ｄｅｃｉｓｉｏｎ  Ｆｕｎｃｔｉｏｎ）装置の動作方法であって、端末がアプリケーション階層メッセージを介してサービス使用を要請すると、前記端末の利用可能なＱｏＳ設定タイプを判断する工程と、前記利用可能なＱｏＳ設定タイプに応じてサービスフローの追加プロセス又はサービスフローの変更プロセスのうちの何れか一つをトリガーする信号を送信する工程とを有し、前記利用可能なＱｏＳ設定タイプは、ダイナミックタイプ、セミダイナミックタイプ、及びスタティックタイプのうちの何れか一つであることを特徴とする。
【発明の効果】
【００１７】
本発明に係る広帯域無線通信のシステム並びにその端末装置、基地局装置、制御局装置、ＰＤＦ装置及びそれらの動作方法によれば、広帯域無線通信システムにおいて利用可能なＱｏＳ（Ｑｕａｌｉｔｙ  ｏｆ  Ｓｅｒｖｉｃｅ）設定タイプ情報を交換し管理することによって、複数のＱｏＳ設定タイプを支援することができるという効果がある。
【発明を実施するための最良の形態】
【００１８】
次に、本発明に係る広帯域無線通信のシステム並びにその端末装置、基地局装置、制御局装置、ＰＤＦ装置及びそれらの動作方法を実施するための最良の形態の具体例を図面を参照しながら説明する。
【００１９】
そして、本発明を説明するにおいて、関連した公知機能又は構成に対する具体的な説明が本発明の要旨を不明にすると判断される場合には、その詳細な説明は省略する。
【００２０】
以下、本発明は、広帯域無線通信システムにおいて複数のＱｏＳ（Ｑｕａｌｉｔｙ  ｏｆ  Ｓｅｒｖｉｃｅ）連動プロセスを支援する技術について説明する。
本発明は、直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、以下、ＯＦＤＭと称す）方式の無線通信システムを例に挙げて説明するが、他の方式の無線通信システムにも同様に適用されうる。
【００２１】
まず、本発明は、以下の説明のためにいくつかのＱｏＳ連動プロセスを仮定する。
ＱｏＳ連動プロセスは、サービスフローの追加方式及びサービスフローのＱｏＳプロファイル（ｐｒｏｆｉｌｅ）変更方式により区分され、以下の説明でＱｏＳ設定タイプ（ｓｅｔｕｐ  ｔｙｐｅ）に区分する。本発明で仮定するＱｏＳ設定タイプのタイプと特徴は、下記に示す表１のとおりである。
【００２２】
【表１】
2009044736.tif 000003
【００２３】
すなわち、本発明による無線通信システムは、表１に示すような複数のＱｏＳ設定タイプをすべて支援する。
表１に示すように、スタティックタイプの場合、ＱｏＳプロファイルは変更することができない。したがって、スタティックタイプに応じて生成されたサービスフローのＱｏＳプロファイルは、モードに無関係に常に同一である。換言すると、スタティックタイプに応じて生成されたサービスフローのＱｏＳプロファイルは、活性モード、許諾モード、準備モードのそれぞれに対して別途に管理されることによって各モードで変わりうるが、一旦決まると、すべてのモードで同様に維持される。
【００２４】
そして、セミダイナミックタイプの場合には、ＱｏＳプロファイルは、サービスフローの変更プロセスにより変更されうる。したがって、セミダイナミックタイプに応じて生成されたサービスフローのＱｏＳプロファイルは、モードに応じて異なりうる。このとき、ＱｏＳパラメータセットの従属関係は、準備モード、許諾モード、活性モードの順である。すなわち、準備モードが最上位モードであり、活性モードが最下位モードである。下位モードのＱｏＳパラメータ値の変更は、上位モードのパラメータ値の範囲内で可能である。
【００２５】
そして、ダイナミックタイプの場合に、サービスフローは、変更及び削除が可能である。ダイナミックタイプに応じて生成されたサービスフローのＱｏＳプロファイルは、モードに応じて異なりうる。このとき、ＱｏＳパラメータセットの従属関係は、準備モード、許諾モード、活性モードの順である。すなわち、準備モードが最上位モードであり、活性モードが最下位モードである。下位モードのＱｏＳパラメータ値の変更は、上位モードのパラメータ値の範囲内で可能である。
【００２６】
このとき、本発明による無線通信システムは、一つの端末に対して一つのＱｏＳ設定タイプのみを許容するか、又は一つの端末に対してサービスフロー別に互いに異なるＱｏＳ設定タイプを許容することができる。
【００２７】
図１は、本発明の実施形態による広帯域無線通信システムの概略的な構成を示す概略図である。
図１に示すように、本発明による広帯域無線通信システムは、端末１１０、基地局１２０、制御局１３０、ＰＤＦ（Ｐｏｌｉｃｙ  Ｄｅｃｉｓｉｏｎ  ｆｕｎｃｔｉｏｎ）１４０、認証サーバ１５０、事業者管理サーバ１６０を備えて構成される。
【００２８】
端末１１０は、移動局（Ｍｏｂｉｌｅ  Ｓｔａｔｉｏｎ）としても見なされ得、ユーザ網（以下、ネットワーク）接続のための終端装置である。
そして、基地局１２０は、端末のネットワーク接続のための無線リソースを管理する装置（設備）であり、ＲＡＳ（Ｒａｄｉｏ  Ａｃｃｅｓｓ  Ｓｔａｔｉｏｎ）、又はＢＳ（Ｂａｓｅ  Ｓｔａｔｉｏｎ）として見なされうるものである。
【００２９】
制御局１３０は、複数の基地局を含むサブネット（ｓｕｂｎｅｔ）のゲートウェイ（ｇａｔｅｗａｙ）機能を行う装置（設備）であり、ＡＣＲ（Ａｃｃｅｓｓ  Ｃｏｎｔｒｏｌ  Ｒｏｕｔｅｒ）又はＡＳＮ＿ＧＷ（Ａｃｃｅｓｓ  Ｓｅｒｖｉｃｅ  Ｎｅｔｗｏｒｋ＿ＧａｔｅＷａｙ）として見なされうるものである。制御局１３０は、端末１１０のサービスフロー、接続（ｃｏｎｎｅｃｔｉｏｎ）、移動性（ｍｏｂｉｌｉｔｙ）を管理する。ここで、サービスフローは、アップリンク（ｕｐｌｉｎｋ）とダウンリンク（ｄｏｗｎｌｉｎｋ）とを区分して生成される。
【００３０】
ＰＤＦ（Ｐｏｌｉｃｙ  Ｄｅｃｉｓｉｏｎ  Ｆｕｎｃｔｉｏｎ）１４０は、ＱｏＳに対したシステム運営者の方針（ｐｏｌｉｃｙ）を反映して、サービスフローのＱｏＳパラメータを決定する。
そして、ＰＤＦ１４０は、サービスフローの追加手順、サービスフローの変更プロセス、サービスフローの削除プロセスをトリガー（ｔｒｉｇｇｅｒｉｎｇ）することができる。但し、ＰＤＦ１４０は、機能的要素を意味し、独立的なサーバとして構成されるか、又は一つの機能として他のネットワーク構成要素に含まれることができる。
【００３１】
例えば、ＳＩＰ（Ｓｅｓｓｉｏｎ  Ｉｎｉｔｉａｔｅ  Ｐｒｏｔｏｃｏｌ）を使用するＩＭＳ（ＩＰ  Ｍｕｌｔｉｍｅｄｉａ  Ｓｕｂｓｙｓｔｅｍ）サーバがＰＤＦ１４０を含むことができる。但し、ＩＭＳサーバは、ＳＩＰに基づいたＩＭＳ−ｂａｓｅｄダイナミックＱｏＳのためのものであって、ＨＴＴＰ（Ｈｙｐｅｒ  Ｔｅｘｔ  Ｔｒａｎｐｏｒｔ  Ｐｏｒｏｔｏｃｏｌ）に基づいたＷｅｂ−ｂａｓｅｄダイナミックＱｏＳを適用する場合には存在しないことがありうる。また、ＩＭＳサーバの一部であるＰ−ＣＳＣＦ（Ｐｒｏｘｙ−Ｃａｌｌ  Ｓｔａｔｅ  Ｃｏｎｔｒｏｌ  Ｆｕｎｃｔｉｏｎ）とＰＤＦのみで一つのサーバを構成することもできる。ここで、Ｐ−ＣＳＣＦは、ユーザが送信したＳＩＰメッセージを受信するＩＭＳの機能ブロックであって、インタフェースブロックと言える。
【００３２】
また、ＰＤＦ１４０が多段階で構成されて一部機能が他のエンティティに含まれることができる。例えば、ＡＡＡ（Ａｕｔｈｅｎｔｉｃａｔｉｏｎ  Ａｕｔｈｏｒｉｚａｔｉｏｎ  Ａｃｃｏｕｎｔｉｎｇ）サーバやＷＳＭ（ＷｉＢｒｏ  Ｓｙｓｔｅｍ  Ｍａｎａｇｅｒ）あるいはＡＳＮ＿ＧＷにその機能を含ませることもできる。
【００３３】
さらに他の例を挙げると、既存のＰＣＲＦ（Ｐｏｌｉｃｙ  Ｃｈａｒｇｅ  Ｒｕｌｅ  Ｆｕｎｃｔｉｏｎ）のような３ＧＰＰ（３ｒｄ  Ｇｅｎｅｒａｔｉｏｎ  Ｐａｒｔｎｅｒｓｈｉｐ  Ｐｒｏｊｅｃｔ）あるいは３ＧＰＰ２システムの方針及び課金担当機能及びインタフェース規格をそのまま維持し、ＰＣＲＦと無線ネットワーク（ＷｉＭＡＸあるいはＨＳＤＰＡあるいはＷＬＡＮ）に新たな中間ＰＤＦを設けることによって、ＰＣＲＦの出力が各無線ネットワークに合う最終出力変数に変換（ｔｒａｎｓｌａｔｉｏｎ）されるようにすることができる。この場合に、ＰＣＲＦと中間ＰＤＦとがすべてＰＤＦ１４０に属する。
【００３４】
ＰＤＦ１４０により決定される多様なパラメータのうち、一部パラメータは、アプリケーション階層、ＩＰ階層、ＭＡＣ階層、及び物理階層で共通に使用される。但し、「ｇｒａｎｔ  ｉｎｔｅｒｖａｌ」のようなパラメータは、ＭＡＣ階層においてのみ使用される。ＭＡＣ階層及び物理階層においてのみ使用されるパラメータの例を挙げると、「ｒｅｑｕｅｓｔ／ｔｒａｎｓｍｉｓｓｉｏｎ  ｐｏｌｉｃｙ」、すなわち、「フラグメンテーションの有無」、「パッキングの有無」、「圧縮方法及び有無」、「ＡＲＱ適用有無」、「ＨＡＲＱ適用有無」などがある。
【００３５】
認証サーバ１５０は、端末の認証情報及び課金情報を管理し、ＡＡＡ（Ａｕｔｈｅｎｔｉｃａｔｉｏｎ  Ａｕｔｈｏｒｉｚａｔｉｏｎ  Ａｃｃｏｕｎｔｉｎｇ）サーバで具現することができる。
ユーザ情報は、ＳＰＲ（Ｓｕｂｓｃｒｉｐｔｉｏｎ  Ｐｒｏｆｉｌｅ  Ｒｅｐｏｓｉｔｏｒｙ）で管理されるが、これは、機能的要素としてＡＡＡサーバに属することもでき、独立的なサーバとして存在することもできる。
【００３６】
認証情報は、該当事業者からサービス提供が許容された端末に対して、端末各々のサービス資格に対する情報を意味する。認証情報は、ユーザ等級で表現することができ、例えば、ユーザ等級は、プレミアム（ｐｒｅｍｉｕｍ）、ゴールド（ｇｏｌｄ）、シルバー（ｓｉｌｖｅｒ）、ブロンズ（ｂｒｏｎｚｅ）などに分類することができる。そして、課金情報は、端末のサービス使用に対してユーザが負担しなければならない料金に対する情報である。
【００３７】
事業者管理サーバ１６０は、事業者のネットワーク管理のための装置（設備）であって、ＷＳＭ（Ｗｉｂｒｏ  Ｓｙｓｔｅｍ  Ｍａｎａｇｅｒ）又はＥＭＳ（Ｅｌｅｍｅｎｔ  Ｍａｎａｇｅｍｅｎｔ  Ｓｙｓｔｅｍ）として見なされうるものである。事業者管理サーバ１６０は、ネットワーク構成（ｎｅｔｗｏｒｋ  ｃｏｎｆｉｇｕｒａｔｉｏｎ）に対する情報をＡＳＮ（Ａｃｃｅｓｓ  Ｓｅｒｖｉｃｅ  Ｎｅｔｗｏｒｋ）内の装置（設備）に伝達し、ＡＳＮ内の装置（設備）を管理する。ここで、ＡＳＮは、同一事業者により管理される一つ以上のサブネット集合であって、基地局１２０及び制御局１３０を含む意味であり、以下の説明でも同じ意味として使用される。
【００３８】
図１に示すシステムの概略的な構成において、ＰＤＦ１４０が複合的に構成される場合について説明すると、以下のとおりである。
この場合に、アプリケーション階層のサービス要請事項であるアプリケーション階層のＱｏＳパラメータを利用してＩＰ（Ｉｎｔｅｒｎｅｔ  Ｐｒｏｔｏｃｏｌ）階層のＱｏＳパラメータを生成するＰＣＲＦと、ＰＣＲＦにより生成されたＩＰ階層のＱｏＳパラメータの他の少なくとも一つのＩＰ階層のＱｏＳパラメータを生成する第１ＰＤＦと、ＰＣＲＦにより生成されたＩＰ階層のＱｏＳパラメータ及び第１ＰＤＦにより生成された少なくとも一つのＩＰ階層のＱｏＳパラメータを利用して無線接続ネットワークのＱｏＳパラメータ集合を生成する第２ＰＤＦがＰＤＦ１４０の機能を代替するのに用いられる。
ここで、第２ＰＤＦは、ＰＣＥＦ（Ｐｏｌｉｃｙ  Ｃｈａｒｇｉｎｇ  Ｅｎｆｏｒｃｅｍｅｎｔ  Ｆｕｎｃｔｉｏｎ）として見なされうる。
【００３９】
このとき、アプリケーション階層のＱｏＳパラメータを利用して生成された無線接続ネットワークのＱｏＳサービス品質パラメータを無線接続ネットワーク内のネットワークエ構成要素（Ｎｅｔｗｏｒｋ  Ｅｎｔｉｔｙ）に伝達するための方法は、以下のとおりである。
第１に下位階層のＱｏＳパラメータを予め設定して、初期接続の間にサービスフロー生成時に伝達する方法、第２に初期接続完了後にアプリケーション階層のサービス要請時に下位階層のＱｏＳパラメータを設定して伝達する方法である。
【００４０】
第２ＰＤＦは、アンカー制御局に含むことができ、別途のネットワークエ構成要素として存在することによって、一つのＮＡＰ（Ｎｅｔｗｏｒｋ  Ａｃｃｅｓｓｓ  Ｐｒｏｖｉｅｒ）を担当することができる。第２ＰＤＦが別途のネットワークエ構成要素として存在する場合に、第２ＰＤＦは、他のＮＳＰ（Ｎｅｔｗｏｒｋ  Ｓｅｒｖｉｃｅ  Ｐｒｏｖｉｄｅｒ）に属した第１ＰＤＦとの通信により総合的に互いに異なるＮＳＰのＱｏＳ方針を調節することができる。
【００４１】
そして、第１ＰＤＦの出力は、ＩＰ階層のＱｏＳパラメータである。しかしながら、ＮＡＰがＮＳＰ中の一つとしてコアネットワークに位置した第１ＰＤＦ又は認証サーバを制御できる場合に、第１ＰＤＦ及び認証サーバは、第２ＰＤＦの機能を行うことができ、第１ＰＤＦのＱｏＳ方針及び課金方針と、認証サーバのＱｏＳ方針及び課金方針とは、同様に設定することができる。
【００４２】
他の実施形態によって、システム運営者のオフライン上の行為によって、ＩＰ階層のＱｏＳパラメータと無線接続ネットワークのＱｏＳパラメータとの間のマッピング関係を各ＮＳＰの第１ＰＤＦが取得した場合に、第１ＰＤＦが第２ＰＤＦの機能を行うことができる。このとき、第１ＰＤＦが第２ＰＤＦの機能を行うと、第２ＰＤＦを含むアンカー制御局は、第２ＰＤＦの機能を行ってはならない。したがって、第１ＰＤＦが第２ＰＤＦの機能を行うか否かを表示できる制御パラメータが使用され、第２ＰＤＦを含むアンカー制御局は、制御パラメータに応じて第２ＰＤＦの機能を行うか否かを判断する。
【００４３】
初期接続時にＱｏＳサービスフローが設定される場合に、初期接続時に設定されたＱｏＳサービスフローのＱｏＳプロファイルは、端末のアプリケーションサービス要請時に活用されうる。このために、ＰＣＲＦが現在設定されているＱｏＳサービスフローの情報を知っていなければならない。
【００４４】
ＱｏＳプロファイルの活用は、ＱｏＳプロファイルを修正することによって行われる。したがって、ＱｏＳプロファイルに対する修正事項は、ＰＣＲＦから第１ＰＤＦを経て制御局に伝達され、基地局は、修正事項を反映するためのＤＳＣ（ｄｙｎａｍｉｃ  ｓｅｒｖｉｃｅ  ｃｈａｎｇｅ）プロセスを始める。又は端末のアプリケーション階層が端末のＭＡＣ階層をトリガーすることで、端末が修正事項を反映するためのＤＳＣプロセスを始める。但し、端末によりＤＳＣプロセスが始まる場合に、ＱｏＳプロファイルに対して変更を許容するか否かが判断されなければならない。したがって、制御局が局地的（ｌｏｃａｌ）方針に従って許容するか否かを決定するか、又は制御局からＱｏＳプロファイルの変更を通知されたＰＣＲＦが許容するか否かを決定する。
【００４５】
万一、ＮＳＰ又はＮＡＰのＱｏＳ政策が変更されることによって、制御局で管理されるサービスフロー別ＱｏＳ方針が変更されなければならない場合に、以下のようなプロセスが行われる。
新しく初期接続する端末のサービスフローは、新たな方針により生成される。そして、再接続又はハンドオーバを行う端末のサービスフローは、レンジング（ｒａｎｇｉｎｇ）プロセスの完了後にＤＳＣプロセスにより新たなＱｏＳパラメータとして設定される。
【００４６】
又は、再接続又はハンドオーバを行う端末のサービスフローは削除され、ＤＳＡ（ｄｙｎａｍｉｃ  ｓｅｒｖｉｃｅ  ａｄｄｉｔｉｏｎ）プロセスにより新たな方針に従う新たなサービスフローが生成される。また、システムは、活性モード端末に対してＤＳＣプロセスにより活性モードを維持したまま新たな方針を反映させる。又は、システムは、活性モード端末にＱｏＳ方針の更新を知らせる制御情報を提供し、端末をアイドルモードに遷移させることによって、端末の再接続を誘導し、再接続時に新たなＱｏＳ方針を反映させる。
【００４７】
ＤＳＣプロセスにより新しいＱｏＳ方針を反映させる場合に、ＱｏＳ方針を管理する客体がＱｏＳ方針の変更を認識すると、変更されたＱｏＳ方針に応じたＱｏＳプロファイルの変化を確認し、制御局１３０にＱｏＳプロファイルを更新することを指示する。これにより、制御局１３０は、現在使用中であるすべてのサービスフローのＱｏＳプロファイルを、新しいＱｏＳプロファイルに変更し、ＱｏＳプロファイルを更新するためのＤＳＣプロセスを行う。このとき、ＤＳＣプロセスは、制御局１３０から始まるか、又は各端末から始まることができる。この場合のＤＳＣプロセスは、ＱｏＳ方針の変更により発生することであるから、すべてのＱｏＳ設定タイプに対して許容される。換言すれば、ＱｏＳ方針の変更によるＤＳＣプロセスは、スタティックタイプ、セミダイナミックタイプ及びダイナミックタイプのすべてに対して許容される。
【００４８】
以下、図１を参照して、本発明で提案するＱｏＳ連動管理方式を説明する。
端末１１０と端末１１０の接続を制御する制御局１３０は、端末１１０が利用可能なＱｏＳ設定タイプ情報を知っていなければならない。それは、端末１１０が利用可能なＱｏＳ設定タイプを認知することによって、これに適した動作を行うためであり、制御局１３０は、端末のサービスフローを管理しなければならないためである。
【００４９】
利用可能なＱｏＳ設定タイプ情報を取得するための一実施形態に従うと、端末１１０の初期接続工程のうち、認証プロセスが成功裏に完了した後、制御局１３０は、端末１１０の利用可能なＱｏＳ設定タイプ情報を以下の方法のうち、何れか一つの方法で取得する。
第１に、認証サーバ１５０がＳＰＲをトリガーし、ＳＰＲから利用可能なＱｏＳ設定タイプ情報を取得した後、認証成功確認メッセージ又は登録プロセスメッセージに利用可能なＱｏＳ設定タイプ情報を含めて送信するか、又は独立的なメッセージを介して利用可能なＱｏＳ設定タイプ情報を送信する。
【００５０】
第２に、認証サーバ１５０がＳＰＲをトリガーして、ＳＰＲが直接制御局１３０に利用可能なＱｏＳ設定タイプ情報を提供するか、又はＳＰＲが再度ＰＤＦ１４０をトリガーして、ＰＤＦ１４０が制御局１３０に伝達する。第３に、制御局１３０がＰＤＦ１４０に要請すると、ＰＤＦ１４０がＳＰＲと連動して利用可能なＱｏＳ設定タイプ情報を取得した後、制御局１３０に提供するか、又はＰＤＦ１４０がＳＰＲをトリガーして、ＳＰＲが直接制御局１３０に伝達するようにする。
ここで、利用可能なＱｏＳ設定タイプ情報は、ＱｏＳ設定タイプ別識別子で構成することができる。そして、制御局１３０は、認証サーバ１５０から提供された利用可能なＱｏＳ設定タイプ情報を端末１１０に伝達する。これにより、制御局１３０と端末１１０は、端末１１０の利用可能なＱｏＳ設定タイプ情報を取得する。
【００５１】
端末１１０と制御局１３０の利用可能なＱｏＳ設定タイプ情報を取得するためのさらに他の実施形態は、以下のとおりである。
端末１１０の初期接続工程中に、端末１１０は、自身のタイプ（ｔｙｐｅ）を制御局１３０に知らせる。ここで、タイプとは、端末の用途や移動性に対したものであって、例えば、端末は、固定されて使用されるＰＣ（Ｐｅｒｓｏｎａｌ  Ｃｏｍｐｕｔｅｒ）、移動性を保障するセルフォン（ｃｅｌｌ  ｐｈｏｎｅ）などに分類される。
【００５２】
端末のタイプを判断した制御局１３０は、端末のタイプに関して予め入力されたＱｏＳ設定タイプ情報に従って端末１１０の利用可能なＱｏＳ設定タイプを決定する。すなわち、端末のタイプに応じたＱｏＳ設定タイプが予め決定されている。例えば、ＰＣのような端末は、スタティックタイプ又はセミダイナミックタイプが好ましく、セルフォンのような端末は、ダイナミックタイプが好ましい。
これにより、制御局１３０と端末１１０は、端末１１０の利用可能なＱｏＳ設定タイプ情報を取得する。ここで、端末のタイプに関するＱｏＳ設定タイプ情報は、事業者管理サーバ１６０から制御局１３０に伝達されるか、又は認証サーバ１５０から制御局１３０に伝達される。
【００５３】
ユーザがサービスを利用しようと要求する場合、端末１１０は、アプリケーション階層を介してサービス要請メッセージを送信する。
ＰＤＦ１４０は、アプリケーション階層を介して送信されたサービス要請メッセージを判断することによって、端末１１０の要請発生を認知し、端末１１０の利用可能なＱｏＳ設定タイプに応じてサービスフローの追加をトリガーするか又はサービスフローの変更をトリガーするかを判断する。
【００５４】
例えば、端末１１０のＱｏＳ設定タイプがダイナミックタイプである場合に、ＰＤＦ１４０は、端末１１０又は基地局１２０にサービスフローの追加をトリガーする。また、端末１１０のＱｏＳ設定タイプがダイナミックタイプ又はセミダイナミックタイプである場合には、ＰＤＦ１４０は、端末１１０又は基地局１２０にサービスフローの変更をトリガーする。
【００５５】
このとき、ＰＤＦ１４０の利用可能なＱｏＳ設定タイプ情報を判断するための実施形態は、以下のとおりである。
ＰＤＦ１４０は、端末１１０の利用可能なＱｏＳ設定タイプ情報を知っている他の装置と連動することによって、端末１１０の利用可能なＱｏＳ設定タイプ情報を取得する。このとき、ＰＤＦ１４０は、端末１１０の識別子、例えば、ＮＡＩ、ＩＰアドレス又はＭＡＣアドレスを利用する。例えば、ＳＰＲサーバ又は認証サーバ１５０が端末１１０の利用可能なＱｏＳ設定タイプ情報を管理できる。
【００５６】
さらに他の実施形態として、端末１１０は、ＱｏＳ設定タイプに応じてアプリケーション階層のメッセージに含まれたセッションディスクリプション（Ｓｅｓｓｉｏｎ  Ｄｅｓｃｒｉｐｔｉｏｎ：ＳＤ）情報を異なるように構成する。
例えば、セッションディスクリプション情報は、ポート番号（ｐｏｒｔ  ｎｕｍｂｅｒ）、ＣＳ（Ｃｌａｓｓｉｆｉｃａｔｉｏｎ）ルール（ｒｕｌｅ）などの項目を含むが、端末１１０は、セッションディスクリプション情報の一部項目を削除又は追加する方式でＱｏＳ設定タイプを表すことができる。
この場合に、ＰＤＦ１４０は、アプリケーション階層メッセージに含まれたセッションディスクリプション情報を介して端末１１０の利用可能なＱｏＳ設定タイプを判断することができる。
【００５７】
時として、端末１１０が許可されないサービスフロー処理を要請する状況が発生しうる。
例えば、スタティックタイプ又はセミダイナミックタイプのみが許可された端末がサービスフローの追加を要請する状況が発生しうる。この場合に、端末１１０のアプリケーション階層メッセージの送信は、事前に禁止することは難しい。したがって、コアネットワーク側の装置、すなわち、認証サーバ１５０又はＰＤＦ１４０がＡＳＮに許可されない要請が発生したことを知らせて、該当サービスフロー処理を禁止する。又は、アプリケーション階層でのメッセージ交換以後に、端末１１０からサービスフローに対するＭＡＣ階層要請が発生すると、ＡＳＮは、これを認知して該当サービスフロー処理を禁止する。
【００５８】
そして、端末１１０がサービスフローの追加プロセス又はサービスフローの変更プロセスを要請する場合に、ＡＳＮは、要請されたプロセスを許可するか否かをＰＤＦ１４０に問い合わせできる。この場合に、ＰＤＦ１４０は、認証サーバ１５０と連動するか、又は単独で許可如何を判断して制御局１３０に知らせる。
【００５９】
また、ＡＳＮ及び端末１１０は、上位階層からのトリガーがなくても、トラフィックの有無に応じてサービスフローの変更プロセスによりサービスフローモードを変更することができる。例えば、ダウンリンクトラフィックが発生すると、ＡＳＮがこれを判断することができるので、基地局１２０は、サービスフローの変更を要請する。また、アップリンクトラフィックが発生すると、端末１１０がこれを判断することができるので、端末１１０は、サービスフローの変更を要請する。
【００６０】
そして、端末１１０は、アプリケーション階層のメッセージ交換プロセスが完了した後、内部的に、アプリケーション階層がＭＡＣ階層をトリガーすることで、サービスフロー処理プロセスを始めることができる。そして、セミダイナミックタイプの場合に、サービスフローの変更プロセスは、サービスフローモードの遷移又はＱｏＳパラメータ変更のために行われる。したがって、端末は、アプリケーション階層メッセージを送信するとき、サービスフローの変更プロセスの目的が何んであるかを示す。例えば、サービスフローの変更プロセスの目的は、セッションディスクリプション情報を利用するか、又は新しく定義されたパラメータを利用して示すことができる。
【００６１】
以下、本発明は、上述したように複合ＱｏＳ設定タイプを支援するためのＮＥ（Ｎｅｔｗｏｒｋ  Ｅｎｔｉｔｙ：ネットワーク構成要素）の構成及び動作を、図面を参照して詳細に説明する。
図２は、本発明の実施形態による広帯域無線通信システムの端末の概略構成を示すブロック図である。
図２に示すように、端末は、制御部２０２、メッセージ生成部２０４、データバッファ２０６、メッセージ解析部２０８、送信部２１０、受信部２１２を備えて構成される。
【００６２】
制御部２０２は、サービスフロー処理及びデータの送受信のための制御を行う。特に、本発明によれば、制御部２０２は、電源がオン（ｏｎ）になって初期接続を行うとき、自身の利用可能なＱｏＳ設定タイプ情報を判断し、利用可能なＱｏＳ設定タイプに応じてサービスフローを処理し通信を行うように制御する。例えば、利用可能なＱｏＳ設定タイプ情報は、上記表１に示したＱｏＳ設定タイプのうちの何れか一つであるか、又は二つ以上の組み合わせで構成される。
【００６３】
メッセージ生成部２０４は、送信される制御メッセージを生成する。例えば、メッセージ生成部２０４は、サービスフロー処理のためのＭＡＣ階層の制御メッセージ及びサービス利用のためのアプリケーション階層の制御メッセージを生成する。特に、本発明によれば、メッセージ生成部２０４は、基地局又は制御局の利用可能なＱｏＳ設定タイプを判断するために、端末のタイプ情報を含む制御メッセージを生成する。
【００６４】
データバッファ２０６は、基地局と送受信するデータを一時格納する。例えば、データは、ＶｏＩＰサービスのための音声パケット、マルチメディアコンテンツなどである。
メッセージ解析部２０８は、受信される制御メッセージを解析する。特に、本発明によれば、メッセージ解析部２０８は、利用可能なＱｏＳ設定タイプ情報を含む制御メッセージを解析して、利用可能なＱｏＳ設定タイプ情報を制御部２０２に提供する。
【００６５】
送信部２１０は、情報ビットストリームをＲＦ（Ｒａｄｉｏ  Ｆｒｅｑｕｅｎｃｙ）信号に変換して、アンテナを介して基地局に送信する。具体的に説明すると、送信部２１０は、情報ビットストリームを符号化して符号化ビットストリームに変換し、符号化ビットストリームを変調して複素シンボル（ｃｏｍｐｌｅｘ  ｓｙｍｂｏｌ）に変換する。そして、送信部２１０は、複素シンボルを副搬送波にマッピング（ｍａｐｐｉｎｇ）した後、ＩＦＦＴ（Ｉｎｖｅｒｓｅ  Ｆａｓｔ  Ｆｏｕｒｉｅｒ  Ｔｒａｎｓｆｏｒｍ）演算を実行してＯＦＤＭシンボルを生成し、その後ＯＦＤＭシンボルをＲＦ信号にアップコンバートしてアンテナを介して送信する。
【００６６】
受信部２１２は、アンテナを介して基地局から受信されるＲＦ信号を情報ビットストリームに変換する。具体的に説明すると、受信部２１２は、アンテナを介して受信されたＲＦ信号をダウンコンバートした後、ダウンコンバートされたＲＦ信号をＯＦＤＭシンボルに分割して、ＦＦＴ（Ｆａｓｔ  Ｆｏｕｒｉｅｒ  Ｔｒａｎｓｆｏｒｍ）演算を実行して副搬送波別複素シンボルに変換する。そして、受信部２１２は、複素シンボルを復調して符号化ビットストリームに変換し、符号化ビットストリームを復号化して情報ビットストリームを復元する。
【００６７】
図３は、本発明の実施形態による広帯域無線通信システムの基地局の概略構成を示すブロック図である。
図３に示すように、基地局は、受信部３０２、送信部３０４、メッセージ解析部３０６、データバッファ３０８、メッセージ生成部３１０、制御部３１２、ＱｏＳ管理部３１４を備えて構成される。
【００６８】
受信部３０２は、アンテナを介して端末から受信されるＲＦ信号を情報ビットストリームに変換する。具体的に説明すると、受信部３０２は、アンテナを介して受信されたＲＦ信号をダウンコンバートした後、ダウンコンバートされたＲＦ信号をＯＦＤＭシンボルに分割してＦＦＴ演算を実行して副搬送波別複素シンボルに変換する。そして、受信部３０２は、複素シンボルを復調して符号化ビットストリームに変換し、符号化ビットストリームを復号化して情報ビットストリームを復元する。
【００６９】
送信部３０４は、情報ビットストリームをＲＦ信号に変換してアンテナを介して端末に送信する。具体的に説明すると、送信部３０４は、情報ビットストリームを符号化して符号化ビットストリームに変換し、符号化ビットストリームを変調して複素シンボルに変換する。そして、送信部３０４は、複素シンボルを副搬送波にマッピングした後、ＩＦＦＴ演算を実行してＯＦＤＭシンボルを生成し、その後ＯＦＤＭシンボルをＲＦ信号にアップコンバートしてアンテナを介して送信する。
【００７０】
メッセージ解析部３０６は、端末から受信される制御メッセージを解析する。換言すると、メッセージ解析部３０６は、端末の無線接続のためのＭＡＣ階層の制御メッセージを解析する。
特に、本発明によれば、メッセージ解析部３０６は、端末の初期接続時に受信される端末のタイプ情報を含む制御メッセージを解析して、端末のタイプ情報を制御部３１２に提供する。例えば、利用可能なＱｏＳ設定タイプ情報は、上記表１に示したＱｏＳ設定タイプのうちの何れか一つであるか、又は二つ以上の組み合わせで構成される。
【００７１】
データバッファ３０８は、端末と送受信するデータを一時格納する。例えば、データは、ＶｏＩＰサービスのための音声パケット、マルチメディアコンテンツなどである。
メッセージ生成部３１０は、端末に送信する制御メッセージを生成する。特に、本発明によれば、メッセージ生成部３１０は、端末の利用可能なＱｏＳ設定タイプ情報を含む制御メッセージを生成する。
【００７２】
制御部３１２は、サービスフロー処理及びデータの送受信のための制御を行う。特に、本発明によれば、制御部３１２は、初期接続する端末に利用可能なＱｏＳ設定タイプ情報を送信するように制御し、利用可能なＱｏＳ設定タイプに応じてサービスフローを処理し、端末と通信を行うように制御する。
【００７３】
ＱｏＳ管理部３１４は、端末の利用可能なＱｏＳ設定タイプ情報を判断して、制御部３１２に提供する。このとき、利用可能なＱｏＳ設定タイプ情報を判断するためのＱｏＳ管理部の機能は、実施形態によって異なる。
本発明の第１の実施形態による場合では、ＱｏＳ管理部３１４は、認証サーバと連動して認証サーバ、ＳＰＲ、及びＰＤＦのうちの何れか一つから端末の利用可能なＱｏＳ設定タイプ情報を取得する。
本発明の第２の実施形態による場合では、ＱｏＳ管理部３１４は、予め設定された端末のタイプ情報に関連して格納された利用可能なＱｏＳ設定タイプ情報テーブルを格納しており、このテーブルを参照して利用可能なＱｏＳ設定タイプ情報を判断する。
【００７４】
ここで、利用可能なＱｏＳ設定タイプ情報の判断機能は、基地局で行われずに制御局で行われうる。この場合に、基地局の制御部３１２は、制御局に端末の利用可能なＱｏＳ設定タイプ情報を要請し、これを受けて端末に利用可能なＱｏＳ設定タイプ情報を送信する。また、この場合に、ＱｏＳ管理部３１４は含まれないか、又は制御局から利用可能なＱｏＳ設定タイプ情報を受ける機能のみを行う。
【００７５】
図４は、本発明の実施形態による広帯域無線通信システムの制御局の概略構成を示すブロック図である。
図４に示すように、制御局は、基地局通信部４０２、バックボーンネットワーク通信部４０４、ＱｏＳ管理部４０６を備えて構成される。
【００７６】
基地局通信部４０２は、従属した基地局と制御メッセージ及びデータを送受信するための機能を行う。例えば、基地局通信部４０２は、基地局から端末の利用可能なＱｏＳ設定タイプ情報を要請する制御メッセージを受信し、利用可能なＱｏＳ設定タイプ情報を含む制御メッセージを送信する。
バックボーンネットワーク通信部４０４は、バックボーンネットワークのＮＥと制御メッセージ及びデータを送受信するための機能を行う。例えば、バックボーンネットワーク通信部４０４は、認証サーバから端末の利用可能なＱｏＳ設定タイプ情報を受信する。例えば、利用可能なＱｏＳ設定タイプ情報は、上記表１に示したＱｏＳ設定タイプのうちの何れか一つであるか、又は二つ以上の組み合わせで構成される。
【００７７】
ＱｏＳ管理部４０６は、初期接続する端末の利用可能なＱｏＳ設定タイプ情報を判断して、基地局通信部４０２に提供する。このとき、利用可能なＱｏＳ設定タイプ情報を判断するためのＱｏＳ管理部４０６の機能は、実施形態によって異なる。
本発明の第１の実施形態による場合では、ＱｏＳ管理部４０６は、バックボーンネットワーク通信部４０４を介して認証サーバと連動して認証サーバ、ＳＰＲ、及びＰＤＦのうちの何れか一つから端末の利用可能なＱｏＳ設定タイプ情報を取得する。
本発明の第２の実施形態による場合では、ＱｏＳ管理部４０６は、予め設定された端末のタイプ情報に関連して格納された利用可能なＱｏＳ設定タイプ情報テーブルを格納しており、このテーブルを参照して利用可能なＱｏＳ設定タイプ情報を判断する。
【００７８】
図５は、本発明の実施形態による広帯域無線通信システムのＰＤＦ装置の概略構成を示すブロック図である。
図５に示すように、ＰＤＦ装置は、通信部５０２、ＱｏＳパラメータ決定部５０４、制御部５０６、ＱｏＳタイプ判断部５０８を備えて構成される。
【００７９】
通信部５０２は、システム内の他のＮＥと情報を送受信するための機能を行う。
ＱｏＳパラメータ決定部５０４は、新しく追加されるサービスフローのＱｏＳパラメータを決定する。
【００８０】
制御部５０６は、端末のアプリケーション階層を介したサービス要請時に、端末の利用可能なＱｏＳ設定タイプに応じるサービスフロー処理プロセスをトリガーする。例えば、制御部５０６は、ＱｏＳ設定タイプがダイナミックタイプである場合に、サービスフローの追加プロセスをトリガーし、ＱｏＳ設定タイプがセミダイナミックタイプ又はダイナミックタイプである場合には、サービスフローのＱｏＳパラメータ変更プロセスをトリガーする。
【００８１】
すなわち、制御部５０６は、トリガー信号を送信するように通信部５０２を制御する。このとき、トリガー信号の目標となるＮＥは、端末、基地局、又は制御局になりうる。また、制御部５０６は、端末が利用可能なＱｏＳ設定タイプに違反するサービスフロー処理プロセスを要請するイベントが発生すると、イベントの発生をＡＳＮ（接続サービスネットワーク）、すなわち、基地局又は制御局に通知する。
【００８２】
ＱｏＳタイプ判断部５０８は、端末の利用可能なＱｏＳ設定タイプ情報を判断する。例えば、利用可能なＱｏＳ設定タイプ情報は、上記表１に示したＱｏＳ設定タイプのうちの何れか一つであるか、又は二つ以上の組み合わせで構成される。
ＱｏＳタイプ判断部５０８は、システム内の他のＮＥと連動して利用可能なＱｏＳ設定タイプ情報を判断するか、又は端末から受信されるアプリケーション階層制御メッセージに含まれたセッションディスクリプション情報を利用して、利用可能なＱｏＳ設定タイプ情報を判断する。例えば、ＱｏＳタイプ判断部５０８は、認証サーバと連動して利用可能なＱｏＳ設定タイプ情報を判断する。
【００８３】
図６は、本発明の第１の実施形態による広帯域無線通信システムの端末の動作手順を示すフローチャートである。
図６に示すように、端末は、ステップＳ６０１で初期接続プロセスが必要があるか否かを判断する。例えば、端末は、電源がオンになると、初期接続プロセスを行う。
【００８４】
初期接続プロセスが必要であると、端末は、ステップＳ６０３に進んで初期接続プロセスを行っている間に利用可能なＱｏＳ設定タイプ情報が受信しているか否かを判断する。例えば、利用可能なＱｏＳ設定タイプ情報は、認証プロセスの完了後に受信される。そして、利用可能なＱｏＳ設定タイプ情報は、上記表１に示したＱｏＳ設定タイプのうちの何れか一つであるか、又は二つ以上の組み合わせで構成される。
【００８５】
利用可能なＱｏＳ設定タイプ情報が受信されると、端末は、ステップＳ６０５に進んで初期接続プロセスを完了した後、利用可能なＱｏＳ設定タイプに応じてサービスフローを処理し通信を行う。
【００８６】
図７は、本発明の第２の実施形態による広帯域無線通信システムの端末の動作手順を示すフローチャートである。
図７に示すように、端末は、ステップＳ７０１で初期接続プロセスが必要があるか否かを判断する。例えば、端末は、電源がオンになると、初期接続プロセスを行う。
【００８７】
初期接続プロセスが必要であると、端末は、ステップＳ７０３に進んで初期接続プロセスを行っている間に、自身の端末のタイプ情報を送信する。ここで、端末のタイプ情報は、端末の用途や移動性に対したもので、例えば、端末は、固定されて使用されるＰＣ、移動性を保障するセルフォンなどに分類される。
【００８８】
以後、端末は、ステップＳ７０５に進んで利用可能なＱｏＳ設定タイプ情報が受信しているか否かを判断する。例えば、利用可能なＱｏＳ設定タイプ情報は、上記表１に示したＱｏＳ設定タイプのうちの何れか一つであるか、又は二つ以上の組み合わせで構成される。
利用可能なＱｏＳ設定タイプ情報が受信されると、端末は、ステップＳ７０７に進んで初期接続プロセスを完了した後、利用可能なＱｏＳ設定タイプに応じてサービスフローを処理し通信を行う。
【００８９】
図８は、本発明の第１の実施形態による広帯域無線通信システムの基地局の動作手順を示すフローチャートである。
図８に示すように、基地局は、ステップＳ８０１において端末が初期接続プロセスを行っている否かを判断する。
【００９０】
端末が初期接続プロセスを行うと、基地局は、ステップＳ８０３に進んで認証サーバと連動して端末の利用可能なＱｏＳ設定タイプ情報を取得する。例えば、利用可能なＱｏＳ設定タイプ情報は、上記表１に示したＱｏＳ設定タイプのうちの何れか一つであるか、又は二つ以上の組み合わせで構成される。
このとき、端末の利用可能なＱｏＳ設定タイプ情報は、認証サーバ、ＳＰＲ、及びＰＤＦのうちの何れか一つから受信することができる。
【００９１】
利用可能なＱｏＳ設定タイプ情報を取得した後、基地局は、ステップＳ８０５に進んで利用可能なＱｏＳ設定タイプ情報を端末に送信する。
以後、基地局は、ステップＳ８０７に進んで初期接続プロセスを完了した後、利用可能なＱｏＳ設定タイプに応じてサービスフローを処理し通信を行う。
【００９２】
図８を参照した説明において、基地局は、ステップＳ８０３で認証サーバと連動して利用可能なＱｏＳ設定タイプ情報を取得する。このとき、認証サーバとの連動は、制御局により行われることができ、この場合に、基地局は、単に制御局から利用可能なＱｏＳ設定タイプ情報のみを受信して端末に送信する。
【００９３】
図９は、本発明の第２の実施形態による広帯域無線通信システムの基地局の動作手順を示すフローチャートである。
図９に示すように、基地局は、ステップＳ９０１で端末が初期接続プロセスを行っているか否かを判断する。
【００９４】
端末が初期接続プロセスを行うと、基地局は、ステップＳ９０３に進んで端末から端末のタイプ情報が受信されているか否かを判断する。ここで、例えば、端末のタイプ情報は、端末の用途や移動性に対したもので、端末は、固定されて使用されるＰＣ、移動性を保障するセルフォン等に分類される。
【００９５】
端末のタイプ情報が受信されると、基地局は、ステップＳ９０５に進んで端末のタイプに応じたＱｏＳ設定タイプ情報を判断する。すなわち、基地局は、予め設定された端末のタイプ情報に関連して格納された利用可能なＱｏＳ設定タイプ情報テーブルを格納しており、このテーブルを参照して利用可能なＱｏＳ設定タイプ情報を判断する。そして、利用可能なＱｏＳ設定タイプ情報は、上記表１に示したＱｏＳ設定タイプのうちの何れか一つであるか、又は二つ以上の組み合わせで構成される。
【００９６】
利用可能なＱｏＳ設定タイプ情報を判断した後、基地局は、ステップＳ９０７に進んで利用可能なＱｏＳ設定タイプ情報を端末に送信する。
以後、基地局は、ステップＳ９０９に進んで初期接続プロセスを完了した後、利用可能なＱｏＳ設定タイプに応じてサービスフローを処理し通信を行う。
【００９７】
図９を参照した説明で、基地局は、ステップＳ９０５で格納されたテーブルを参照して利用可能なＱｏＳ設定タイプ情報を判断する。このとき、テーブルは、制御局により管理されることができ、この場合に、基地局は、単に制御局から利用可能なＱｏＳ設定タイプ情報を受信して端末に送信する。
【００９８】
図１０は、本発明の第１の実施形態による広帯域無線通信システムの制御局の動作手順を示すフローチャートである。
図１０に示すように、制御局は、ステップＳ１００１で基地局から初期接続を行う端末の情報が受信されているか否かを判断する。
【００９９】
初期接続する端末の情報が受信されると、制御局は、ステップＳ１００３に進んで認証サーバと連動して、端末の利用可能なＱｏＳ設定タイプ情報を取得する。例えば、利用可能なＱｏＳ設定タイプ情報は、上記表１に示したＱｏＳ設定タイプのうちの何れか一つであるか、又は二つ以上の組み合わせで構成される。
このとき、端末の利用可能なＱｏＳ設定タイプ情報は、認証サーバ、ＳＰＲ、及びＰＤＦのうちの何れか一つから受信することができる。
【０１００】
利用可能なＱｏＳ設定タイプ情報を取得した後、制御局は、ステップＳ１００５に進んで基地局に利用可能なＱｏＳ設定タイプ情報を送信する。
【０１０１】
図１１は、本発明の第２の実施形態による広帯域無線通信システムの制御局の動作手順を示すフローチャートである。
図１１に示すように、制御局は、ステップＳ１１０１で基地局から初期接続する端末の情報が受信されているか否かを判断する。このとき、端末の情報は、端末のタイプ情報を含む。
【０１０２】
初期接続する端末の情報が受信されると、制御局は、ステップＳ１１０３に進んで端末のタイプに応じたＱｏＳ設定タイプ情報を判断する。すなわち、制御局は、予め設定された端末のタイプ情報に関連して格納された利用可能なＱｏＳ設定タイプ情報テーブルを格納しており、このテーブルを参照して利用可能なＱｏＳ設定タイプ情報を判断する。例えば、利用可能なＱｏＳ設定タイプ情報は、上記表１に示したＱｏＳ設定タイプのうちの何れか一つであるか、又は二つ以上の組み合わせで構成される。
【０１０３】
利用可能なＱｏＳ設定タイプ情報を取得した後、制御局は、ステップＳ１１０５に進んで基地局に利用可能なＱｏＳ設定タイプ情報を送信する。
【０１０４】
図１２は、本発明の実施形態による広帯域無線通信システムのＰＤＦの動作手順を示すフローチャートである。
図１２に示すように、ＰＤＦは、ステップＳ１２０１でアプリケーション階層を介した端末のサービス要請が発生しているか否かを判断する。
【０１０５】
端末のサービス要請が発生すると、ＰＤＦは、ステップＳ１２０３に進んで端末の利用可能なＱｏＳ設定タイプを判断する。このとき、ＰＤＦは、システム内の他のＮＥ（例：認証サーバ、ＳＰＲ）と連動するか、又はアプリケーション階層メッセージに含まれたセッションディスクリプション情報を利用して、利用可能なＱｏＳ設定タイプを判断する。例えば、利用可能なＱｏＳ設定タイプは、上記表１に示したＱｏＳ設定タイプのうちの何れか一つであるか、又は二つ以上の組み合わせで構成される。
【０１０６】
利用可能なＱｏＳ設定タイプを確認した後、ＰＤＦは、ステップＳ１２０５に進んで要請が利用可能なＱｏＳ設定タイプに違反しているか否かを判断する。
もし、利用可能なＱｏＳ設定タイプに違反していないと、ＰＤＦは、ステップＳ１２０７に進んで利用可能なＱｏＳ設定タイプに適したサービスフロー処理プロセスをトリガーする。例えば、ＰＤＦは、ＱｏＳ設定タイプがダイナミックタイプである場合に、サービスフローの追加プロセスをトリガーし、ＱｏＳ設定タイプがセミダイナミックタイプ又はダイナミックタイプである場合には、サービスフローの変更プロセスをトリガーする。このとき、トリガー信号の目標ＮＥは、端末、基地局又は制御局になりうる。
【０１０７】
これとは異なり、プロセスＱｏＳ設定タイプに違反しているされると、ＰＤＦは、ステップＳ１２０９に進んで端末が利用可能なＱｏＳ設定タイプに違反しているサービスフロー処理プロセスを要請したことを、接続サービスネットワーク、すなわち、基地局又は制御局に通知する。
【０１０８】
広帯域無線通信システムにおいて本発明のように利用可能なＱｏＳ（Ｑｕａｌｉｔｙ  ｏｆ  Ｓｅｒｖｉｃｅ）設定タイプ情報を交換し管理することによって、複数のＱｏＳ設定タイプを支援することができる。
【０１０９】
尚、本発明は、上述の実施形態に限られるものではない。本発明の技術的範囲から逸脱しない範囲内で多様に変更実施することが可能である。
【図面の簡単な説明】
【０１１０】
【図１】本発明の実施形態による広帯域無線通信システムの概略的な構成を示す概略図である。
【図２】本発明の実施形態による広帯域無線通信システムの端末の概略構成を示すブロック図である。
【図３】本発明の実施形態による広帯域無線通信システムの基地局の概略構成を示すブロック図である。
【図４】本発明の実施形態による広帯域無線通信システムの制御局の概略構成を示すブロック図である。
【図５】本発明の実施形態による広帯域無線通信システムのＰＤＦ装置の概略構成を示すブロック図である。
【図６】本発明の第１の実施形態による広帯域無線通信システムの端末の動作手順を示すフローチャートである。
【図７】本発明の第２の実施形態による広帯域無線通信システムの端末の動作手順を示すフローチャートである。
【図８】本発明の第１の実施形態による広帯域無線通信システムの基地局の動作手順を示すフローチャートである。
【図９】本発明の第２の実施形態による広帯域無線通信システムの基地局の動作手順を示すフローチャートである。
【図１０】本発明の第１の実施形態による広帯域無線通信システムの制御局の動作手順を示すフローチャートである。
【図１１】本発明の第２の実施形態による広帯域無線通信システムの制御局の動作手順を示すフローチャートである。
【図１２】本発明の実施形態による広帯域無線通信システムのＰＤＦの動作手順を示すフローチャートである。
【符号の説明】
【０１１１】
１１０      端末
１２０      基地局
１３０      制御局
１４０      ＰＤＦ
１５０      認証サーバ
１６０      事業者管理サーバ
２０２      制御部
２０４      メッセージ生成部
２０６      データバッファ
２０８      メッセージ解析部
２１０      送信部
２１２      受信部
３０２      受信部
３０４      送信部
３０６      メッセージ解析部
３０８      データバッファ
３１０      メッセージ生成部
３１２      制御部
３１４      ＱｏＳ管理部
４０２      基地局通信部
４０４      バックボーンネットワーク通信部
４０６      ＱｏＳ管理部
５０２      通信部
５０４      ＱｏＳパラメータ決定部
５０６      制御部
５０８      ＱｏＳタイプ判断部
【図１】
2009044736.tif 000004
【図２】
2009044736.tif 000005
【図３】
2009044736.tif 000006
【図４】
2009044736.tif 000007
【図５】
2009044736.tif 000008
【図６】
2009044736.tif 000009
【図７】
2009044736.tif 000010
【図８】
2009044736.tif 000011
【図９】
2009044736.tif 000012
【図１０】
2009044736.tif 000013
【図１１】
2009044736.tif 000014
【図１２】
2009044736.tif 000015